(57)【要約】【課題】  浴室ユニットの室内側に給水配管やシャワー配管などを、美観を損なうことなくコンパクトに且つ機能的に設置することのできる配管構造。【解決手段】  水栓に接続されて鉛直方向に沿って延びるシャワー配管（３）および給水配管（１）をそれぞれ覆うための矩形状の収容空間を有する上カバー（４）および下カバー（２）と、上カバーと下カバーとの間に設けられて水栓を覆うための水栓カバー（７）とを備えている。水栓カバーは山型の収容空間を有し、水栓カバーの上側には温度調節部（８）および吐水操作部（９）が設けられ、水栓カバーの下側には水栓と各配管との配管接続部に臨む点検口を着脱自在に覆う点検カバー（１４）が設けられている。【選択図】  図２
2006014747.tif 000002
【特許請求の範囲】
【請求項１】
浴室ユニットの壁面に設けられる配管構造であって、
水栓に接続されてほぼ鉛直方向に沿って上方へ延びるシャワー配管を覆うための矩形状の収容空間を有する上カバーと、
前記水栓に接続されてほぼ鉛直方向に沿って下方へ延びる給水配管を覆うための矩形状の収容空間を有する下カバーと、
前記上カバーと前記下カバーとの間に設けられて前記水栓を覆うための水栓カバーとを備え、
前記水栓カバーは、ほぼ水平方向に延びる稜線により規定される前方に向かって山型の収容空間を有し、
前記水栓カバーの前記稜線よりも上側には、温度調節部および吐水操作部が設けられ、
前記水栓カバーの前記稜線よりも下側には、前記水栓と各配管との配管接続部に臨む点検口を着脱自在に覆う点検カバーが設けられていることを特徴とする配管構造。
【請求項２】
前記水栓に接続されてほぼ水平方向に沿って延びる吐水配管を覆うためのカウンターが前記水栓カバーに当接するように設けられていることを特徴とする請求項１に記載の配管構造。
【請求項３】
前記水栓カバーは、前記壁面に着脱自在に取り付けられていることを特徴とする請求項１または２に記載の配管構造。
【発明の詳細な説明】
【技術分野】
【０００１】
本発明は、浴室ユニットの配管構造に関するものである。
【背景技術】
【０００２】
浴室ユニットの壁面には、たとえば給水配管から吐水配管への給水や給水配管からシャワー配管への給水などを制御するための水栓が取り付けられている。従来、給水配管やシャワー配管などは、壁の裏側に取り付けられることが多い（たとえば特許文献１を参照）。
【特許文献１】実開昭５９−９８０２７号公報
【発明の開示】
【発明が解決しようとする課題】
【０００３】
この場合、給水配管やシャワー配管などのメンテナンスに際して、浴室ユニットの壁を部分的に取り外す必要があり、作業性が良くないという不都合があった。一方、給水配管やシャワー配管などを浴室ユニットの壁面に取り付ける形態では、美観を損なう恐れがあるという不都合があった。
【０００４】
本発明は、前述の課題に鑑みてなされたものであり、浴室ユニットの室内側に給水配管やシャワー配管などを、美観を損なうことなくコンパクトに且つ機能的に設置することのできる配管構造を提供することを目的とする。
【課題を解決するための手段】
【０００５】
前記課題を解決するために、本発明では、浴室ユニットの壁面に設けられる配管構造であって、
水栓に接続されてほぼ鉛直方向に沿って上方へ延びるシャワー配管を覆うための矩形状の収容空間を有する上カバーと、
前記水栓に接続されてほぼ鉛直方向に沿って下方へ延びる給水配管を覆うための矩形状の収容空間を有する下カバーと、
前記上カバーと前記下カバーとの間に設けられて前記水栓を覆うための水栓カバーとを備え、
前記水栓カバーは、ほぼ水平方向に延びる稜線により規定される前方に向かって山型の収容空間を有し、
前記水栓カバーの前記稜線よりも上側には、温度調節部および吐水操作部が設けられ、
前記水栓カバーの前記稜線よりも下側には、前記水栓と各配管との配管接続部に臨む点検口を着脱自在に覆う点検カバーが設けられていることを特徴とする配管構造を提供する。
【０００６】
本発明の好ましい態様によれば、前記水栓に接続されてほぼ水平方向に沿って延びる吐水配管を覆うためのカウンターが前記水栓カバーに当接するように設けられている。また、前記水栓カバーは、前記壁面に着脱自在に取り付けられていることが好ましい。
【発明の効果】
【０００７】
本発明では、水栓に接続されてほぼ鉛直方向に沿って延びるシャワー配管および給水配管が、矩形状の収容空間を有する上カバーおよび下カバーによりそれぞれ覆われている。また、上カバーと下カバーとの間において、前方に向かって山型の収容空間を有する水栓カバーにより、水栓が覆われている。水栓カバーの上側には温度調節部および吐水操作部が設けられ、水栓カバーの下側には配管接続部に臨む点検口を着脱自在に覆う点検カバーが設けられている。
【０００８】
このように、本発明では、水栓、シャワー配管および給水配管がほぼ鉛直方向に沿って延びるカバーにより覆われ、水栓カバーに温度調節部および吐水操作部が設けられている。その結果、水栓、シャワー配管、給水配管、温度調節部および吐水操作部が、浴室ユニットの壁面において縦方向に細長くコンパクトに設置される。
【０００９】
また、山型の収容空間を有する水栓カバーの上側に温度調節部および吐水操作部が設けられ、水栓カバーの下側に配管接続部に臨む点検口を着脱自在に覆う点検カバーが設けられている。その結果、無理な姿勢をとることなく温度調節および吐水操作を容易に且つ確実に行うことができる。また、点検カバーを随時取り外し、点検口を介して配管接続部の点検およびメンテナンスを容易に行うことができる。すなわち、本発明の配管構造では、浴室ユニットの室内側に給水配管やシャワー配管などを、美観を損なうことなくコンパクトに且つ機能的に設置することができる。
【００１０】
なお、本発明では、水栓に接続されてほぼ水平方向に沿って延びる吐水配管を覆うためのカウンターが、水栓カバーに当接するように設けられていることが好ましい。この構成により、吐水配管も美観を損なうことなくコンパクトに且つ機能的に設置することができる。
【００１１】
また、本発明では、水栓カバーが浴室ユニットの壁面に着脱自在に取り付けられていることが好ましい。この構成により、水栓カバーを壁面から随時取り外して、水栓および配管の修理およびメンテナンスを容易に行うことができる。
【発明を実施するための最良の形態】
【００１２】
本発明の実施形態を、添付図面に基づいて説明する。
図１は、本発明の実施形態にかかる浴室ユニットの要部構成を概略的に示す図である。また、図２は、図１の状態から上センターカバー、下センターカバーおよびカウンターを取り外した状態を概略的に示す図である。また、図３は、図１の線Ａ−Ａに沿った縦断面図である。
【００１３】
図１〜図３を参照すると、本実施形態の浴室ユニットにおいて、水栓（不図示）に接続されて鉛直方向に沿って下方へ延びる給水配管（すなわち常温水を供給する給水配管および高温水を供給する給湯配管）１が、浴室の浴槽Ｂに隣接するように壁面Ｗに取り付けられた下センターカバー２により覆われている。また、水栓に接続されて鉛直方向に沿って上方へ延びるシャワー配管３が、壁面Ｗに取り付けられた上センターカバー４により覆われている。下センターカバー２および上センターカバー４はともに矩形状の収容空間を有する。
【００１４】
さらに、水栓に接続されて横方向（図中水平左側方向）へ延びる吐水配管５が、壁面Ｗに取り付けられたカウンター６により覆われている。そして、カウンター６の上側には、浴室ミラーＭが壁面Ｗに取り付けられている。また、水栓を覆う水栓カバー７が、下センターカバー２、上センターカバー４およびカウンター６に隣接（当接）するように設けられている。水栓カバー７は、壁面Ｗに着脱自在に取り付けられ、水平方向に延びる稜線により規定されるような前方に向かって山型の収容空間を有する。
【００１５】
山型の水栓カバー７の上側（稜線よりも上側の部分）には、温度調節部８、吐水操作部９およびシャワー操作部１０が設けられている。温度調節部８は、給水配管１から供給される常温水と高温水とを混合して得られる湯水の温度を調節する機能を有する。吐水操作部９は、給水配管１から吐水配管５を介して吐水ヘッド１１への給水経路の開閉操作を行う機能を有する。シャワー操作部１０は、給水配管１からシャワー配管３を介してシャワーヘッド１２への給水経路の開閉操作を行う機能を有する。
【００１６】
なお、吐水ヘッド１１は、洗面器置きカウンター１３の上方であってカウンター６のほぼ中央の下側において下向きに配置されている。また、シャワーヘッド１２は、上センターカバー４の上端部分において斜め下向きに配置されている。一方、山型の水栓カバー７の下側（稜線よりも下側の部分）には、水栓と各配管（１，３，５）との配管接続部（不図示）に臨む点検口を着脱自在に覆う点検カバー１４が設けられている。
【００１７】
以上のように、本実施形態では、水栓、シャワー配管３および給水配管１が鉛直方向に沿って延びるカバー（２，４，７）により覆われ、水栓カバー７に温度調節部８、吐水操作部９およびシャワー操作部１０が設けられている。その結果、水栓、シャワー配管３、給水配管１、温度調節部８、吐水操作部９およびシャワー操作部１０が、浴室ユニットの壁面Ｗにおいて縦方向に細長くコンパクトに設置されている。
【００１８】
また、山型の収容空間を有する水栓カバー７の上側に温度調節部８、吐水操作部９およびシャワー操作部１０が設けられ、水栓カバー７の下側に配管接続部に臨む点検口を着脱自在に覆う点検カバー１４が設けられている。その結果、無理な姿勢をとることなく温度調節部８、吐水操作部９およびシャワー操作部１０を容易に且つ確実に行うことができる。また、点検カバー１４を随時取り外し、点検口を介して配管接続部の点検およびメンテナンスを容易に行うことができる。
【００１９】
こうして、本実施形態の配管構造では、浴室ユニットの室内側に給水配管１、シャワー配管３、水栓、温度調節部８、吐水操作部９、シャワー操作部１０などを、美観を損なうことなくコンパクトに且つ機能的に設置することができる。また、本実施形態では、水栓に接続されて水平方向に沿って延びる吐水配管５を覆うためのカウンター６が水栓カバー７に当接するように設けられているので、吐水配管５も美観を損なうことなくコンパクトに且つ機能的に設置することができる。
【００２０】
また、本実施形態では、水栓カバー７が浴室ユニットの壁面Ｗに着脱自在に取り付けられているので、水栓カバー７を壁面Ｗから随時取り外して、水栓および配管の修理およびメンテナンスを容易に行うことができる。また、本実施形態では、水栓カバー７の稜線よりも上側に吐水操作部９およびシャワー操作部１０が設けられているので、洗髪時や洗顔時に眼を閉じた状態でも確実に吐水操作やシャワー操作を行うことができる。また、本実施形態では、吐水操作部９とシャワー操作部１０とが一箇所に集中配置されているので、操作がし易いという利点がある。
【００２１】
なお、本実施形態では、シャワーヘッド１２が上センターカバー４の上端部に固定的に設けられ、シャワー配管３が上センターカバー４のほぼ全体に亘って延びている。こうして、シャワー配管３を外部に露出させることなくシャワーヘッド１２まで導くことができる。しかしながら、これに限定されることなく、たとえば図４の変形例に示すように、上センターカバー４の途中からフレキシブルホース１５を引き出し、このフレキシブルホース１５を介して可動シャワーヘッド１６に給水する形態も可能である。この場合、シャワー配管３は、上センターカバー４の内側において水栓からフレキシブルホース１５の引出し位置まで延びることになる。
【図面の簡単な説明】
【００２２】
【図１】本発明の実施形態にかかる浴室ユニットの要部構成を概略的に示す図である。
【図２】図１の状態から上センターカバー、下センターカバーおよびカウンターを取り外した状態を概略的に示す図である。
【図３】図１の線Ａ−Ａに沿った縦断面図である。
【図４】本実施形態の変形例にかかる浴室ユニットの要部構成を概略的に示す図である。
【符号の説明】
【００２３】
１  給水配管
２  下センターカバー
３  シャワー配管
４  上センターカバー
５  吐水配管
６  カウンター
７  水栓カバー
８  温度調節部
９  吐水操作部
１０  シャワー操作部
１１  吐水ヘッド
１２  シャワーヘッド
１３  洗面器置きカウンター
１４  点検カバー
Ｗ  浴室の壁面
Ｂ  浴槽
【図１】
2006014747.tif 000003
【図２】
2006014747.tif 000004
【図３】
2006014747.tif 000005
【図４】
2006014747.tif 000006